(57)【要約】  タイミングコントローラは、ある一定期間に転送すべきデータ量に関連する情報に基づき、データを転送するデータレーン（１１，１２，１３）の数を決定する。そして、複数のデータレーン（１１，１２，１３）のうち、決定した数のデータレーン（１１，１２，１３）を用いて、データを転送する。さらに、データの転送に用いられないデータレーン（１１，１２，１３）を停止させる。
2012067073.tif 000002
【特許請求の範囲】
【請求項１】
複数のデータレーンのうち少なくともいずれかを使用してデータを転送するデータ転送回路であって、
ある一定期間に転送すべきデータ量に関連する情報に基づき、上記データを転送するデータレーンの数を決定する決定手段と、
上記複数のデータレーンのうち、上記決定手段によって決定された数のデータレーンを用いて、上記データを転送する転送手段と、
上記複数のデータレーンのうち、上記データの転送に用いられないデータレーンを停止させるデータレーン停止手段とを備えていることを特徴とするデータ転送回路。
【請求項２】
上記データは、表示パネルに表示される画像を表すデータであることを特徴とする請求項１に記載のデータ転送回路。
【請求項３】
上記情報は、上記画像の階調数を表す情報であり、
上記決定手段は、上記情報に基づき、上記画像の階調数が減少したと判定した場合、上記データレーンの数をより少ない値に決定することを特徴とする請求項２に記載のデータ転送回路。
【請求項４】
上記情報は、上記画像の階調数を表す情報であり、
上記決定手段は、上記情報に基づき、上記画像の階調数が増加したと判定した場合、上記データレーンの数をより多い値に決定することを特徴とする請求項２または３に記載のデータ転送回路。
【請求項５】
上記情報は、上記画像の色数を表す情報であり、
上記決定手段は、上記情報に基づき、上記画像の色数がカラー表示の色数からモノクロ表示の色数に減少したと判定した場合、上記データレーンの数をより少ない値に決定することを特徴とする請求項２〜４のいずれか１項に記載のデータ転送回路。
【請求項６】
上記情報は、上記画像の色数を表す情報であり、
上記決定手段は、上記情報に基づき、上記画像の色数がモノクロ表示の色数からカラー表示の色数に増加したと判定した場合、上記データレーンの数をより多い値に決定することを特徴とする請求項２〜５のいずれか１項に記載のデータ転送回路。
【請求項７】
上記情報は、上記表示パネルのリフレッシュ周波数を表す情報であり、
上記決定手段は、上記情報に基づき、上記リフレッシュ周波数が減少したと判定した場合、上記データレーンの数をより少ない値に決定することを特徴とする請求項２〜６のいずれか１項に記載のデータ転送回路。
【請求項８】
上記情報は、上記表示パネルのリフレッシュ周波数を表す情報であり、
上記決定手段は、上記情報に基づき、上記リフレッシュ周波数が増加したと判定した場合、上記データレーンの数をより多い値に決定することを特徴とする請求項２〜７のいずれか１項に記載のデータ転送回路。
【請求項９】
データ転送回路は、クロックレーンをさらに備えており、
上記停止手段は、上記複数のデータレーンのうち、上記クロックレーンからより遠くに配置されるデータレーンほど、より優先的に停止させることを特徴とする請求項２〜８のいずれか１項に記載のデータ転送回路。
【請求項１０】
上記画像を表示する際の１垂直期間が、上記データをレシーバ回路に転送する転送期間と、転送しない休止期間と分かれており、
上記情報は、上記転送期間と上記休止期間とを規定した情報であり、
上記決定手段は、上記休止期間においては、上記データレーンの数をゼロに決定することを特徴とする請求項２〜９のいずれか１項に記載のデータ転送回路。
【請求項１１】
上記画像を表示する際の各１垂直期間が、上記データをレシーバ回路に転送する転送期間であるか、または、転送しない休止期間であり、
上記情報は、上記転送期間と上記休止期間とを規定した情報であり、
上記決定手段は、上記休止期間においては、上記データレーンの数をゼロに決定することを特徴とする請求項２〜９のいずれか１項に記載のデータ転送回路。
【請求項１２】
上記データ転送回路は、表示装置内に備えられ、上記画像を表すデータをソースドライバに転送するタイミングコントローラであることを特徴とする請求項２〜１１のいずれか１項に記載のデータ転送回路。
【請求項１３】
上記データ転送回路は、表示装置に接続されたホスト側装置に備えられ、当該表示装置が備えるタイミングコントローラに上記画像を表すデータを転送するグラフィックコントローラであることを特徴とする請求項２〜１１のいずれか１項に記載のデータ転送回路。
【請求項１４】
請求項１３に記載のデータ転送回路を備えていることを特徴とする表示装置。
【請求項１５】
請求項１０または１１に記載のデータ転送回路であって、上記画像を表すデータをソースドライバに転送するタイミングコントローラであるデータ転送回路と、
上記休止期間において、上記ソースドライバから上記表示パネルにアナログ電圧を出力する出力回路の能力を低下させる能力低下手段とを備えていることを特徴とする表示装置。
【請求項１６】
請求項１３に記載のデータ転送回路を備えていることを特徴とするホスト側装置。
【請求項１７】
表示装置およびホスト側装置を備えている電子機器であって、
上記表示装置は、請求項１０に記載のデータ転送回路であって、上記画像を表すデータをソースドライバに転送するタイミングコントローラであるデータ転送回路を備えており、
上記ホスト側装置は、請求項１０に記載のデータ転送回路であって、上記タイミングコントローラに上記画像を表すデータを転送するグラフィックコントローラであるデータ転送回路を備えていることを特徴とする電子機器。
【請求項１８】
表示装置およびホスト側装置を備えている電子機器であって、
上記表示装置は、請求項１１に記載のデータ転送回路であって、上記画像を表すデータをソースドライバに転送するタイミングコントローラであるデータ転送回路を備えており、
上記ホスト側装置は、請求項１１に記載のデータ転送回路であって、上記タイミングコントローラに上記画像を表すデータを転送するグラフィックコントローラであるデータ転送回路を備えていることを特徴とする電子機器。
【請求項１９】
表示装置および入力装置を備えている電子機器であって、
上記表示装置は、請求項１０または１１に記載のデータ転送回路であって、上記画像を表すデータをソースドライバに転送するタイミングコントローラであるデータ転送回路を備えており、
上記入力装置は、タッチパネルと、上記転送期間に当該タッチパネルをセンシングせず、かつ上記休止期間に当該タッチパネルをセンシングするセンシング手段とを備えている備えていることを特徴とする電子機器。
【請求項２０】
上記タッチパネルは静電容量型タッチパネルまたは電磁誘導型タッチパネルであることを特徴とする請求項１９に記載の電子機器。
【請求項２１】
複数のデータレーンのうち少なくともいずれかを使用してデータを転送するデータ転送方法であって、
ある一定期間に転送すべきデータ量に関連する情報に基づき、上記データを転送するデータレーンの数を決定する決定工程と、
上記複数のデータレーンのうち、上記決定工程において決定された数のデータレーンを用いて、上記データを転送する転送工程と、
上記複数のデータレーンのうち、上記データの転送に用いられないデータレーンを停止させるデータレーン停止工程とを備えていることを特徴とするデータ転送方法。
【発明の詳細な説明】
【技術分野】
【０００１】
本発明は、データレーンを用いてデータを転送するデータ転送回路、データ転送方法、表示装置、ホスト側装置、および電子機器に関する。
【背景技術】
【０００２】
近年、液晶表示装置などのフラットパネルディスプレイでは、データ転送を行うにあたって、ＬＶＤＳ（Low Voltage Differential Signaling）などの高速シリアルインターフェースを用いている。係る高速シリアルインターフェースでは、シリアル化されたデータを差動信号により送信するトランスミッタ回路部と、差動信号を差動増幅するレシーバ回路とによってデータ転送が実現される。【０００３】
特許文献１には、上記データ転送を低消費電力化する技術が開示されている。具体的には、特許文献１では、トランスミッタ回路部が複数のトランスミッタ部を備えており、あるトランスミッタ部が伝送するデータの空いているビットにデータを集中させることによって、他のトランスミッタ部が伝送するデータを減らし、または０にしている。ここで、転送するデータ量が少ないトランスミッタ部を低転送モードにし、また転送するデータ量が０のトランスミッタ部をスリープモードしており、これによって消費電力を抑制している。
【先行技術文献】
【特許文献】
【０００４】
【特許文献１】日本国公開特許公報「特開２００７−２０６２３２号公報（２００７年８月１６日公開）」
【発明の概要】
【発明が解決しようとする課題】
【０００５】
本発明者らは、上記データ転送を低消費電力化するためには、トランスミッタ回路部やレシーバ回路が消費する電流よりも、これらの間に流れる常時電流を抑制することが重要であることに着目した。この理由について図２３を参照して説明する。【０００６】
図２３は、上記データ転送を行う構成を説明するための模式図である。図２３において、送信側１１０はトランスミッタ回路部を内蔵するデバイスであり、受信側１２０はレシーバ回路を内蔵するデバイスである。両回路の間には２本一組の差動信号線対が複数配線され、各差動信号線対には終端抵抗１３０が設けられている（図２３では代表して一組の差動信号線対を示している）。データ転送時、各差動信号対には常時電流が流れているため、終端抵抗１３０では電力が多く消費される。ここで終端抵抗はレシーバ回路内に内蔵されている場合もある。【０００７】
上記事情によれば、上記データ転送の低消費電力化を図るためには、トランスミッタ回路部の転送速度を低転送レートにして消費電流を抑制するよりも、高転送レートであっても定常電流が流れる差動信号対の数を減らすことが効果的であるといえる。【０００８】
特許文献１では、トランスミッタ部をスリープモードにすることによって、定常電流が流れる差動信号対の数を減らすことができる。しかしながら、上記特許文献１では、複数のトランスミッタ部がそれぞれ転送する各データ量に応じて、トランスミッタ部のスリープモードを決定している。この方法は、定常電流が流れる差動信号対の数を積極的かつ弾力的に増減させるには不十分である。【０００９】
また、上記特許文献１では、あるトランスミッタ部を低転送モードにするとき、他のトランスミッタ部は通常の転送モードのままであるため、各トランスミッタ部において転送速度が異なることになる。しかしながら、このように転送速度を異ならせるためには、各速度に合わせた周波数のクロックが必要になるため、各トランスミッタ部に対応してクロックレーンを設けなくてはならない。この結果、回路規模の増大をきたし、消費電力が増加してしまう。【００１０】
本発明は、上記の問題に鑑みてなされたものであり、その目的は、単純な構成によって消費電力を低減できるデータ転送装置、データ転送方法、表示装置、ホスト側装置、および電子機器を提供することにある。
【課題を解決するための手段】
【００１１】
本発明に係るデータ転送回路は、上記の課題を解決するために、
複数のデータレーンのうち少なくともいずれかを使用してデータを転送するデータ転送回路であって、
ある一定期間に転送すべきデータ量に関連する情報に基づき、上記データを転送するデータレーンの数を決定する決定手段と、
上記複数のデータレーンのうち、上記決定手段によって決定された数のデータレーンを用いて、上記データを転送する転送手段と、
上記複数のデータレーンのうち、上記データの転送に用いられないデータレーンを停止させるデータレーン停止手段とを備えていることを特徴としている。【００１２】
上記の構成によれば、データ転送回路は、ある一定期間に転送すべきデータ量に応じて、データ転送に用いるデータレーンの数を決定する。そして、決定した数のデータレーンを用いて、データを転送する。また、データ転送に用いないデータレーンは停止させる。すなわち、データの転送に必要な分のデータレーンだけを用い、残りのデータレーンは使わないようにする。そして、使わないデータレーンは停止させることによって、そのデータレーンの動作時に必要な電力を使わないようにする。【００１３】
本発明に係るデータ転送回路では、個々のデータレーンをデータ転送に用いるか、または用いないかのいずれかに制御する。すなわち、データレーンごとに転送レートを変動させることはない。転送に用いる場合は通常の転送レートで転送し、用いない場合は転送レートをゼロにする。したがって、データレーンごとに転送レート調整のためのクロックを必要とすることはない。すなわち、回路構成が従来技術に比べて複雑になることはない。【００１４】
以上のように、データ転送回路は、単純な構成によって消費電力を低減できる効果を奏する。【００１５】
本発明に係るデータ転送方法は、上記の課題を解決するために、
複数のデータレーンのうち少なくともいずれかを使用してデータを転送するデータ転送方法であって、
ある一定期間に転送すべきデータ量に関連する情報に基づき、上記データを転送するデータレーンの数を決定する決定工程と、
上記複数のデータレーンのうち、上記決定手段によって決定された数のデータレーンを用いて、上記データを転送する転送工程と、
上記複数のデータレーンのうち、上記データの転送に用いられないデータレーンを停止させるデータレーン停止工程とを備えていることを特徴としている。【００１６】
上記の構成によれば、本発明に係るデータ転送回路と同様の作用効果を奏する。【００１７】
本発明に係る表示装置は、上記の課題を解決するために、
上述したデータ転送回路であって、上記画像を表すデータをソースドライバに転送するタイミングコントローラであるデータ転送回路と、
上記休止期間において、上記ソースドライバから上記表示パネルにアナログ電圧を出力する出力回路の能力を低下させる能力低下手段とを備えていることを特徴としている。【００１８】
上記の構成によれば、データ転送回路は、画像を表すデータを転送しない休止期間において、データレーンを全て停止するとともに、出力回路の能力を低下させる。これにより、出力回路の消費電力を低下させることができるので、表示装置全体における消費電力をより一層低下させることができる。【００１９】
本発明に係るホスト側装置は、上記の課題を解決するために、上記データ転送回路を備えていることを特徴としている。【００２０】
上記の構成によれば、画像データの転送レートに応じて、使用するデータレーンの数を切り替えることによって、消費電力の削減が可能なホスト側装置を実現することができる。【００２１】
本発明に係る他の電子機器は、上記の課題を解決するために、
表示装置およびホスト側装置を備えている電子機器であって、
上記表示装置は、上述したデータ転送回路であって、上記画像を表すデータをソースドライバに転送するタイミングコントローラであるデータ転送回路を備えており、
上記ホスト側装置は、上述したデータ転送回路であって、上記タイミングコントローラに上記画像を表すデータを転送するグラフィックコントローラであるデータ転送回路を備えていることを特徴としている。【００２２】
上記の構成によれば、画像を表すデータを転送しない休止期間において、ソースドライバにデータを転送するためのデータラインと、タイミングコントローラにデータを転送するためのデータラインとを、全て停止する。一方、転送期間においては、ソースドライバにデータを転送するためのデータラインと、タイミングコントローラにデータを転送するためのデータラインとを、いずれも動作させてデータを転送する。これにより、ホスト側装置から送られてきたデータをフレームメモリに書き込む際の周波数と、フレームメモリから画像データを読み出す際の周波数とが、等しくなる。その結果、ホスト側装置から表示装置にデータを転送する際に利用されるクロック信号を、表示装置内においてフレームメモリからデータを読み出す際のクロック信号として利用できる。したがって、新たなクロック信号を生成するための追加のクロック生成回路を必要とせずに済む。【００２３】
本発明に係る他の電子機器は、上記の課題を解決するために、
表示装置および入力装置を備えている電子機器であって、
上記表示装置は、上述したデータ転送回路であって、上記画像を表すデータをソースドライバに転送するタイミングコントローラであるデータ転送回路を備えており、
上記入力装置は、タッチパネルと、上記転送期間に当該タッチパネルをセンシングせず、かつ上記休止期間に当該タッチパネルをセンシングするセンシング手段とを備えていることを特徴としている。【００２４】
上記の構成によれば、電子機器は、転送期間においてタッチパネルをセンシングする一方、休止期間においてはタッチパネルをセンシングしない。すなわち、画像を表すデータを転送するタイミングを避けて、タッチパネルをセンシングする。したがって、タッチパネルのセンシング時にデータ転送に起因するノイズの混入を避けられるので、センシング精度を高めることができる。【００２５】
本発明に係る表示装置は、上記の課題を解決するために、上記データ転送回路を備えていることを特徴としている。【００２６】
上記の構成によれば、画像データの転送レートに応じて、使用するデータレーンの数を切り替えることによって、消費電力の削減が可能な表示装置を実現することができる。
【発明の効果】
【００２７】
本発明に係るデータ転送回路は、単純な構成によって消費電力を削減できる効果を奏する。
【図面の簡単な説明】
【００２８】
【図１】本発明の第１の実施形態に係る表示装置におけるデータ転送に係る構成を示す回路図である。
【図２】本発明の第１の実施形態に係る表示装置の概略的な構成を示す図である。
【図３】図２に示す表示装置におけるシリアル信号伝送線の動作／非動作を説明するための図である。
【図４】図２に示す表示装置におけるシリアル信号伝送線の動作／非動作を説明するための図である。
【図５】図２に示す表示装置におけるシリアル信号伝送線の動作／非動作を説明するための図である。
【図６】図２に示す表示装置におけるシリアル信号伝送線の動作／非動作を説明するための図である。
【図７】図２に示す表示装置におけるデータ転送のためのタイミングチャートを示す図である。
【図８】図２に示す表示装置における転送データの並べ替えを説明するための図である。
【図９】図２に示す表示装置における転送データの並べ替えを説明するための図である。
【図１０】図２に示す表示装置における並べ替え前の転送データを示す図である。
【図１１】図２に示す表示装置における並べ替え後の転送データの一例を示す図である。
【図１２】本発明の第２の実施形態に係る表示装置が通常駆動モードである場合のタイミングチャートを示す図である。
【図１３】本発明の第２の実施形態に係る表示装置が低電力モードである場合のタイミングチャートを示す図である。
【図１４】本発明の第２の実施形態に係る表示装置における高速転送期間中のシリアル信号伝送線の動作／非動作を説明するための図である。
【図１５】本発明の第２の実施形態に係る表示装置における低速期間中のシリアル信号伝送線の動作／非動作を説明するための図である。
【図１６】本発明の第２の実施形態に係る表示装置が低電力モードである場合の他のタイミングチャートを示す図である。
【図１７】本発明の第３の実施形態に係る表示システムにおけるシリアル信号伝送線の動作／非動作を説明するための図である。
【図１８】本発明の第３の実施形態に係る表示システムにおけるシリアル信号伝送線の動作／非動作を説明するための図である。
【図１９】本発明の第４の実施形態に係る表示システムにおけるシリアル信号伝送線の動作／非動作を説明するための図である。
【図２０】本発明の第５の実施形態に係る電子機器の構成を示すブロック図である。
【図２１】本発明の第５の実施形態に係る電子機器が通常駆動モードである場合のタイミングチャートを示す図である。
【図２２】本発明の第５の実施形態に係る電子機器が低電力モードである場合のタイミングチャートを示す図である。
【図２３】データ転送を行う構成を説明するための模式図である。
【発明を実施するための形態】
【００２９】
〔実施形態１〕
本発明の第１の実施形態について図１〜図１１に基づいて説明すると以下の通りである。
【００３０】
まず、本実施形態に係る表示装置１０の構成について、図２を参照して説明する。図２は、本実施形態に係る表示装置１０の構成を概略的に示す図である。なお、本実施形態において、表示装置１０は液晶表示装置であるが、本発明はこれに特に限られない。
【００３１】
図２に示すように、表示装置１０は、コントロール基板１、フレキシブルプリント回路（ＦＰＣ）基板２、表示パネル３を備えている。コントロール基板１は、入力コネクタ４、タイミングコントローラ５（データ転送回路）、および電源ＩＣ６を備えており、表示パネル３は、ソースドライバ７ａ〜７ｂ、ゲートドライバ８、および表示領域９を備えている。コントロール基板１と表示パネル３とはＦＰＣ２を介して接続されている。
【００３２】
コントロール基板１において、入力コネクタ４は、ホスト（外部）から入力された表示データの入力を受け付け、タイミングコントローラ５へ出力する。
【００３３】
タイミングコントローラ５は、入力コネクタ４から入力された表示データをソースドライバ７ａ〜７ｃへ転送し、また、ソースドライバ７ａ〜７ｃおよびゲートドライバ８を制御することにより表示領域９中の表示素子を走査・駆動するタイミングを規定している。また、タイミングコントローラ５は、後述にて詳細を説明するトランスミッタ回路部およびレーン数設定信号送信部（図示しない）を備えている。電源ＩＣ６は、タイミングコントローラ５やソースドライバ７ａ〜７ｃ、ゲートドライバ８を駆動するために必要な電源を生成している。
【００３４】
表示パネル３は、一般的な解像度（１０２４ＲＧＢ×７６８）を有する表示パネルと同様に３個のソースドライバ７ａ〜７ｃを有する。表示パネル３において、各ソースドライバ７ａ〜７ｃには複数のソースバスラインが接続され、ゲートドライバ８には複数のゲートバスラインが接続されている。表示領域９には、ソースバスラインとゲートバスラインとの交点に対応して、画素がマトリクス状に配置されている。ゲートドライバ８は、ゲートバスラインに走査信号を順次供給して行毎に画素を選択し、各ソースドライバ７ａ〜７ｃは、選択された各画素に対し、ソースバスラインを介してデータ信号を書き込む。また、各ソースドライバ７ａ〜７ｃは、後述にて詳細を説明するレシーバ回路部（図示しない）を備えている。
【００３５】
本実施形態において、タイミングコントローラ５と各ソースドライバ７ａ〜７ｃとの間におけるデータ転送は、コントロール基板１に形成された配線群及びＦＰＣ２に形成された配線パターンからなる信号伝送線により行なわれる。これらの信号伝送線は、２本一組で高速シリアル転送用の差動信号線対を構成しているものとする。
【００３６】
図３は、タイミングコントローラ５と各ソースドライバ７ａ〜７ｃとの間における差動信号線対を示す図である。図３に示すように、本実施形態では、タイミングコントローラ５と各ソースドライバ７ａ〜７ｃとの間に、４組の表示データ転送用の差動信号線対（データレーン）１１〜１４、２１〜２４、３１〜３４、および１組のクロック用の差動信号線対（クロックレーン）１５、２５、３５がそれぞれ配線されている。なお、図３では、一対の信号伝送線路（データレーン、クロックレーン）を１本の矢印で示している。
【００３７】
また、図示していないが、タイミングコントローラ５と各ソースドライバ７ａ〜７ｃとの間には、レーン数制御信号線（ＬＡＮＥＣＴＲＬ信号線）がそれぞれ配線されている。
【００３８】
（データレーンの動作切り替え）
本実施形態に係る表示装置１０による画像表示中、各ソースドライバ７ａ〜７ｃに対するデータレーン１１〜１４、２１〜２４、３１〜３４は、ソースドライバ７ａ〜７ｃに転送される一定期間あたりの表示データ量の増減に応じて、動作／非動作が制御される。
【００３９】
以下に、データレーン１１〜１４、２１〜２４、３１〜３４の動作切り替え方法について、図３〜６を参照して説明する。
【００４０】
なお、図４〜図６は、図３と同様、タイミングコントローラ５と各ソースドライバ７ａ〜７ｃとの間における差動信号線対を示す図である。図４〜図６では、一対の信号伝送線路（データレーン、クロックレーン）を１本の矢印で示しており、そのうち、データ転送を行っているデータレーンを実線の矢印で示し、データ転送を停止しているデータレーンを点線の矢印で示している。
【００４１】
また、以下の説明では、データレーンがデータ転送を行っている状態を動作状態と称し、データ転送を停止している状態を非動作状態と称する。
【００４２】
（階調数に基づく制御）
本実施形態に係る表示装置１０は、画質（階調数）優先モードから電力優先モードへの切り替えや、カラー画像表示モードからテキストモード（モノクロモード）への切り替えが可能であるとする。このような切り替えが行われた時、タイミングコントローラ５から各ソースドライバ７ａ〜７ｃへ転送される表示データは、その一定期間あたりのデータ量が減少する。
【００４３】
たとえば、表示装置１０は、画質（階調数）優先モードまたはカラー画像表示モードのとき、各階調を８ｂｉｔ表示するとする。このとき、表示装置１０では、図３に示すように、各ソースドライバ７ａ〜７ｃに対して、４つ全てのデータレーン１１〜１４、２１〜２４、３１〜３４が動作状態となってデータ転送を行う。
【００４４】
ここで、表示装置１０が画質優先モードから電力優先モードに切り替えられた場合、タイミングコントローラ５には、そのことを表す情報が入力される。具体的には、表示される画像の階調数（ここでは６ｂｉｔ）を表す情報が入力される。この情報は、たとえばホスト側装置から表示装置１０に与えられる。レーン数設定信号送信部は、この情報に基づき、データ転送に用いるデータレーンの本数を決定する。具体的には、画像の階調数が減少したと判定するので、現在の使用数（４つ）よりも少ない数（３つ）に決定する。そして、決定した本数を表すＬＡＮＥＣＴＲＬ信号を生成して、ソースドライバ７ａ〜７ｃに出力する。
【００４５】
タイミングコントローラ５およびソースドライバ７ａ〜７ｃは、このＬＡＮＥＣＴＲＬ信号に基づき、データレーン１１〜１４、２１〜２４、３１〜３４の動作／非動作を制御する。具体的には、図４に示すように、各ソースドライバ７ａ〜７ｃに対して、３つのデータレーン１１〜１３、２１〜２３、３１〜３３が動作してデータ転送を行い、１つのデータレーン１４、２４、３４は非動作状態になりデータ転送を停止する。これにより、消費電力を低減できる。
【００４６】
表示装置１０が再び画質（階調数）優先モードまたはカラー画像表示モードに切り替えられた場合、タイミングコントローラ５には、そのことを表す情報が入力される。具体的には、表示される画像の色数（ここでは８ｂｉｔ）を表す情報が入力される。この情報は、たとえばホスト側装置から表示装置１０に与えられる。レーン数設定信号送信部は、この情報に基づき、データ転送に用いるデータレーンの本数を決定する。具体的には、現在の使用数（３つ）よりも多い数（４つ）に決定する。そして、決定した本数を表すＬＡＮＥＣＴＲＬ信号を生成して、ソースドライバ７ａ〜７ｃに出力する。タイミングコントローラ５およびソースドライバ７ａ〜７ｃは、このＬＡＮＥＣＴＲＬ信号に基づき、データレーン１１〜１４、２１〜２４、３１〜３４が再び図３に示す状態になるように制御する。結果、転送すべきデータ量が増加しても、問題なく転送できる。
【００４７】
（カラー表示またはモノクロ表示に基づく制御）
表示装置１０がカラー表示モードからモノクロ表示モードに切り替えられた場合、タイミングコントローラ５には、そのことを表す情報が入力される。具体的には、表示される画像の色数（ここでは１ｂｉｔ）を表す情報が入力される。この情報は、たとえばホスト側装置から表示装置１０に与えられる。レーン数設定信号送信部は、この情報に基づき、データ転送に用いるデータレーンの本数を決定する。具体的には、画像表示がカラーからモノクロに変更したと判定するので、現在の使用数（４つ）よりも少ない数（１つ）に決定する。そして、決定した本数を表すＬＡＮＥＣＴＲＬ信号を生成して、ソースドライバ７ａ〜７ｃに出力する。
【００４８】
タイミングコントローラ５およびソースドライバ７ａ〜７ｃは、このＬＡＮＥＣＴＲＬ信号に基づき、データレーン１１〜１４、２１〜２４、３１〜３４の動作／非動作を制御する。具体的には、図５に示すように、各ソースドライバ７ａ〜７ｃに対して、１つのデータレーン１２、２２、３２が動作してデータ転送を行い、３つのデータレーン１１、１３、１４；２１、２３、２４；３１、３３、３４は非動作状態になりデータ転送を停止するようにする。これにより、消費電力を低減できる。
【００４９】
表示装置１０が再びカラー画像表示モードに切り替えられた場合、タイミングコントローラ５には、そのことを表す情報が入力される。具体的には、表示される画像の色数（ここでは８ｂｉｔ）を表す情報が入力される。この情報は、たとえばホスト側装置から表示装置１０に与えられる。レーン数設定信号送信部は、この情報に基づき、データ転送に用いるデータレーンの本数を決定する。具体的には、画像表示がモノクロからカラーに変更したと判定するので、現在の使用数（１つ）よりも多い数（４つ）に決定する。そして、決定した本数を表すＬＡＮＥＣＴＲＬ信号を生成して、ソースドライバ７ａ〜７ｃに出力する。タイミングコントローラ５およびソースドライバ７ａ〜７ｃは、このＬＡＮＥＣＴＲＬ信号に基づき、データレーン１１〜１４、２１〜２４、３１〜３４が再び図３に示す状態になるように制御する。その結果、転送すべきデータ量が増加したとしても、問題なく転送できる。
【００５０】
（リフレッシュ周波数に基づく制御）
本実施形態に係る表示装置１０は、動画視認性を向上させるためや、２Ｄ表示から３Ｄ表示に切り替えるため、また、フィードシーケンシャル駆動を行うため等の目的のために、表示パネルのリフレッシュ周波数を上げることが可能であるとする。なお、２Ｄ表示から３Ｄ表示に切り替える際には、右目用と左目用の映像データが必要であるため、リフレッシュ周波数を２倍に切り替えることを行う。また、フィードシーケンシャル駆動は、３色ＬＥＤを用いて、ＲＧＢ各色用のサブフィールド３枚により１枚の画像を表示する方法であり、リフレッシュ周波数を３倍に切り替えることを行う。
【００５１】
上述のように、表示パネルのリフレッシュ周波数を上げた場合、タイミングコントローラ５から各ソースドライバ７ａ〜７ｃへ転送される表示データは、その一定期間あたりのデータ量が増加する。
【００５２】
たとえば、表示装置１０は、２Ｄモードのとき、そのリフレッシュ周波数が６０Ｈｚであるとする。このとき、表示装置１０では、図６に示すように、各ソースドライバ７ａ〜７ｃに対して、２つのデータレーン１２、１３；２２，２３；３２、３３が動作状態となってデータ転送を行い、２つのデータレーン１１、１４；２１、２４；３１、３４は非動作状態となってデータ転送を停止している。
【００５３】
ここで、表示装置１０が３Ｄモードに切り替えられ、タイミングコントローラ５には、そのことを表す情報が入力される。具体的には、表示される画像のリフレッシュ周波数（１２０Ｈｚ）を表す情報が入力される。この情報は、たとえばホスト側装置から表示装置１０に与えられる。レーン数設定信号送信部は、この情報に基づき、データ転送に用いるデータレーンの本数を決定する。具体的には、現在の使用数（２つ）よりも多い数（４つ）に決定する。そして、決定した本数を表すＬＡＮＥＣＴＲＬ信号を生成して、ソースドライバ７ａ〜７ｃに出力する。タイミングコントローラ５およびソースドライバ７ａ〜７ｃは、このＬＡＮＥＣＴＲＬ信号に基づき、データレーン１１〜１４、２１〜２４、３１〜３４の動作／非動作を制御する。具体的には、図３に示すように、各ソースドライバ７ａ〜７ｃに対して、全てのデータレーン１１〜１４、２１〜２４、３１〜３４が動作状態になってデータ転送を行うように制御する。その結果、転送すべきデータ量が増加したとしても、問題なく転送できる。
【００５４】
表示装置１０が再び２Ｄモードに切り替えられた場合、タイミングコントローラ５には、そのことを表す情報が入力される。具体的には、表示される画像のリフレッシュ周波数（６０Ｈｚ）を表す情報が入力される。この情報は、たとえばホスト側装置から表示装置１０に与えられる。レーン数設定信号送信部は、この情報に基づき、データ転送に用いるデータレーンの本数を決定する。具体的には、現在の使用数（４つ）よりも少ない数（２つ）に決定する。そして、決定した本数を表すＬＡＮＥＣＴＲＬ信号を生成して、ソースドライバ７ａ〜７ｃに出力する。タイミングコントローラ５およびソースドライバ７ａ〜７ｃは、このＬＡＮＥＣＴＲＬ信号に基づき、データレーン１１〜１４、２１〜２４、３１〜３４を再び図６に示す状態になるように制御する。これにより、消費電力を低減できる。
【００５５】
タイミングコントローラ５は、リフレッシュ周波数の増加比率に応じて、１つのソースドライバあたりのデータ転送に用いるデータレーンの数を増やすことが望ましい。たとえば、リフレッシュ周波数を２倍に増やす場合は、データ転送に用いるデータレーン数を２倍にする。また、リフレッシュ周波数を３倍に増やす場合には、データ転送に用いるデータレーンの数を３倍にする。これらの工夫によって、データレーンを効率的に利用できる。
【００５６】
（停止データレーンの位置）
上述の制御パターンにおいて、データレーンのデータ転送動作を停止させる際、クロックレーンの近くに配置されているデータレーンよりも、遠くに配置されているデータレーンを優先的に停止させることが好ましい。たとえば、図４〜図６に示すように、ソースドライバ７ａに対する４組のデータレーン１１〜１４のうち、１〜３組の動作を停止させるのであれば、クロックレーン１５に近いデータレーン１２、１３よりも、クロックレーン１５から遠いデータレーン１１、１４の動作を優先的に停止させることが好ましい。
【００５７】
クロックレーン１５と近い位置に配置されたデータレーン１２、１３は、クロックレーン１５と等長配線がしやすいため、位相ずれによるデータの取りこぼしを回避しやすい。よって、クロックレーン１５と近い位置に配置されたデータレーン１２、１３を優先的に動作させるようにすれば、仮にデータレーンを停止させた状態において転送レートが増大したとしても、クロックレーンと動作中のデータレーンとの間の位相を合わせやすくなる。
【００５８】
（タイミングチャートの一例）
図７は、表示装置１０が画質（階調数または色数）優先モードと電力優先モード、すなわち通常駆動と低電力駆動とを切り替えて動作する場合のタイミングチャートの一例を示す図である。
【００５９】
図７に示すように、ＬＡＮＥＣＴＲＬ信号は、ソースドライバ７ａ〜７ｃに転送される一定期間あたりのデータ量が増加したときにＨｉｇｈレベルに、減少したときにＬｏｗレベルに遷移する。図７に示す例において、表示装置１０は、ＬＡＮＥＣＴＲＬ信号がＨｉｇｈレベルのときに４ペア、Ｌｏｗレベルのときに２ペアのデータレーンが動作するように設定されている。データ転送動作を行うデータレーンの数は、ＬＡＮＥＣＴＲＬ信号がＨｉｇｈレベルからＬｏｗレベルに遷移した後、またはＬｏｗレベルからＨｉｇｈレベルに遷移した後であって、最初のフレームが切り替わるタイミングで変化する。
【００６０】
したがって、本実施形態では、レーン数設定信号送信部が、一定期間あたりのデータ量の増減に応じてＨｉｇｈまたはＬｏｗのＬＡＮＥＣＴＲＬ信号を出力することによって、表示装置１０はその駆動状態に応じて最適なレーン数を設定することができる。なお、ＨｉｇｈまたはＬｏｗのＬＡＮＥＣＴＲＬ信号によって何ペアのデータレーンを動作状態にするかは、表示装置１０がどのようなモードの切り替えを行うかに応じて適宜設定可能である。すなわち、表示装置１０の駆動状態に応じて、動作状態のデータレーン数を最適な数に設定することができる。
【００６１】
（データ転送のための構成）
本実施形態では、シリアルバスの差動信号線を電流駆動あるいは電圧駆動することにより、タイミングコントローラ５とソースドライバ７ａ〜７ｃとの間でデータ転送が実現される。以下に、上記のデータ転送のための構成について、図１を参照して説明する。図１は、タイミングコントローラ５が含むトランスミッタ回路部５０、およびソースドライバ７ａが含むレシーバ回路部７０をそれぞれ示す回路図である。
【００６２】
なお、以下では、説明の便宜上、ソースドライバ７ａとこれに対応するトランスミッタ回路部５０とを例示的に用いて説明しているが、ソースドライバ７ｂ、７ｃとこれらにそれぞれ対応するトランスミッタ回路部についても同様の説明を適用できる。
【００６３】
図１に示すように、タイミングコントローラ５のトランスミッタ回路部５０は、トランスミッタ側レーン数制御回路５２、パラレル−シリアル変換部５３、トランスミッタ側スイッチ（ＳＷ）制御回路５４、トランスミッタ側ＰＬＬ回路部５５、複数の（図１では３つの）データ用トランスミッタ回路５６、クロック用トランスミッタ回路５７、及びこれらの回路を駆動する電源ＶＤＩＦ５１を備えている。
【００６４】
トランスミッタ側レーン数制御回路５２は、レーン数設定信号送信部（図示しない）から入力されたＬＡＮＥＣＴＲＬ信号（次のフレームから何レーンで転送を行うかを決定する信号）に基づいて、パラレル‐シリアル変換部５３に対して変換プロトコルを指定する情報を送信し、トランスミッタ側ＰＬＬ回路部５５に対して動作／非動作や周波数を制御する信号を送信し、また、トランスミッタ側ＳＷ制御回路５４に対して転送に使用するレーンおよび転送に使用しないレーンの情報を送信する。さらに、トランスミッタ側レーン数制御回路５２は、レーン数設定信号送信部（図示しない）から入力されたＬＡＮＥＣＴＲＬ信号を、ソースドライバ７ａに対して送信する。
【００６５】
パラレル−シリアル変換部５３は、トランスミッタ側レーン数制御回路５２から入力された変換プロトコル指定情報に基づいて、ホストから入力されたパラレルデータをシリアルデータに変換し、データ用トランスミッタ回路５６にシリアルデータを送信する。
【００６６】
トランスミッタ側ＳＷ制御回路５４は、トランスミッタ側レーン数制御回路５２から入力された情報に基づいて、クロック用トランスミッタ回路５７への電源供給ＳＷ（SW_tx1）、トランスミッタ側ＰＬＬ回路部５５への電源供給ＳＷ（SW_tx2）、各データ用トランスミッタ回路５６への電源供給ＳＷ（SW_tx3〜SW_tx5）、および、パラレル−シリアル変換部５３への電源供給ＳＷ（SW_tx6）を制御する。これによって、動作状態のデータレーンに対応するデータ用トランスミッタ回路５６へ電源を供給し、かつ、非動作状態のデータレーンに対応するデータ用トランスミッタ回路５６への電源が供給されないようにすることができる。
【００６７】
トランスミッタ側ＰＬＬ回路部５５は、ホストから入力されたクロック信号に基づいて、データ用トランスミッタ回路５６およびクロック用トランスミッタ回路５７にクロック信号を出力する。また、トランスミッタ側ＰＬＬ回路部５５は、トランスミッタ側レーン数制御回路５２から入力された制御信号によって、その動作／非動作や周波数を制御される。
【００６８】
データ用トランスミッタ回路５６およびクロック用トランスミッタ回路５７は、トランスミッタ側ＰＬＬ回路部５５から出力されるクロック信号に基づいて、差動データ信号や差動クロック信号の周波数を出力する。なお、データ用トランスミッタ回路５６から出力される差動データ信号の振幅は、電源ＶＤＩＦ５１から出力される駆動電圧により規定される。
【００６９】
また、図１に示すように、ソースドライバ７ａのレシーバ回路部７０は、レシーバ側レーン数制御回路７２、パラレル−シリアル変換部７３、レシーバ側スイッチ（ＳＷ）制御回路７４、レシーバ側ＰＬＬ回路部７５、複数の（図１では３つの）データ用レシーバ回路７６、クロック用レシーバ回路７７、及びこれらの回路を駆動するための電源ＶＤＩＦ７１を備えている。
【００７０】
レシーバ側レーン数制御回路７２は、トランスミッタ側レーン数制御回路５２から入力されたＬＡＮＥＣＴＲＬ信号に基づいて、パラレル−シリアル変換部７３に対して、変換プロトコルを指定する情報を送信するとともに、レシーバ側ＰＬＬ回路部７５に対してその動作／非動作や周波数の制御を行う制御信号を送信し、また、レシーバ側ＳＷ制御回路７４に対して転送に使用するレーンおよび転送に使用しないレーンの情報を送信する。なお、ＬＡＮＥＣＴＲＬ信号は、トランスミッタ側レーン数制御回路５２から入力されてもよいが、図１中の点線に示すように、タイミングコントローラ５のレーン数設定信号送信部（図示しない）から直接入力されても良い。
【００７１】
データ用レシーバ回路７６は、データ用トランスミッタ回路５６から出力された差動データ信号を受信して差動増幅を行い、得られたデータ信号をパラレル−シリアル変換部７３に出力する。また、クロック用レシーバ回路７７は、クロック用トランスミッタ回路５７から出力された差動クロック信号を受信して差動増幅を行い、得られたクロック信号をレシーバ側ＰＬＬ回路部７５に出力する。
【００７２】
パラレル−シリアル変換部７３は、レシーバ側レーン数制御回路７２から入力された変換プロトコル指定情報に基づいて、データ用レシーバ回路７６から入力されたシリアルデータをパラレルデータに変換し、後段の回路ブロックにパラレルデータを送信する。
【００７３】
レシーバ側ＳＷ制御回路７４は、レシーバ側レーン数制御回路７２から受信した情報に基づいて、クロック用レシーバ回路７７への電源供給ＳＷ（SW_rx1）、レシーバ側ＰＬＬ回路部７５への電源供給ＳＷ（SW_rx2）、各データ用レシーバ回路７６への電源供給ＳＷ（SW_rx3〜SW_rx5）、および、パラレル−シリアル変換部７３への電源供給ＳＷ（SW_rx6）を制御する。これによって、動作状態のデータレーンに対応するデータ用レシーバ回路７６へ電源を供給し、かつ、非動作状態のデータレーンに対応するデータ用レシーバ回路７６への電源が供給されないようにする。
【００７４】
また、図１に示すように、上記データ転送を実現するために、トランスミッタ側レーン数制御回路５２とレシーバ側レーン数制御回路７２との間には、レーン数制御信号線１６が配線されている。また、各データ用レシーバ回路７６と各データ用トランスミッタ回路５６との間には、一対の信号伝送線であるデータレーン１１〜１３が配線され、クロック用トランスミッタ回路５７とクロック用レシーバ回路７７との間には一対の信号伝送線路であるクロックレーン１５が配線されている。なお、図１では、データレーン１４に対応する構成を省略して示しているが、データレーン１１〜１３に対応する構成と同様の構成を適用すればよい。
【００７５】
（動作方法）
以下に、ソースドライバ７ａについて、動作状態のデータレーンの数を４ペア（データレーン１１〜１４）から３ペア（データレーン１２〜１４）に切り替える場合を例として、その制御フローを説明する。
【００７６】
まず、タイミングコントローラ５において、レーン数設定信号送信部が、ホストから入力される画像データ（パラレルデータ）について一定期間あたりのデータ量の増減を検出し、データ量に応じたＬｏｗまたはＨｉｇｈのＬＡＮＥＣＴＲＬ信号を出力する。レーン数設定信号送信部から出力されたＬＡＮＥＣＴＲＬ信号は、トランスミッタ回路部５０におけるトランスミッタ側レーン数制御回路５２に入力される。
【００７７】
トランスミッタ側レーン数制御回路５２は、入力されたＬＡＮＥＣＴＲＬ信号に応じて、パラレル‐シリアル変換部５３に対して３ペア用の変換プロトコルを指定する情報を送信する。同時に、トランスミッタ側レーン数制御回路５２は、トランスミッタ側ＳＷ制御回路５４に対して、１つのデータレーンに対して電圧が供給されないようにするための情報を送信する。
【００７８】
パラレル‐シリアル変換部５３は、次のフレームから、３ペア用の変換プロトコルに基づいて、ホストから入力されたパラレルデータをシリアルデータに並び替え、データ用トランスミッタ回路５６にシリアルデータを送信する。なお、データの並び替えが周波数を変更する必要は無い場合、トランスミッタ側ＰＬＬ回路部５５に対して特別な制御は行われない。
【００７９】
また、トランスミッタ側レーン数制御回路５２は、さらに、レシーバ側レーン数制御回路７２に対してＬＡＮＥＣＴＲＬ信号を送信する。
【００８０】
次に、各ソースドライバ７ａ〜７ｃにおいて、レシーバ側レーン数制御回路７２は、入力されたＬＡＮＥＣＴＲＬ信号に基づいて、パラレル−シリアル変換部７３に対して、３ペア用の変換プロトコルを指定する情報を送信する。同時に、レシーバ側レーン数制御回路７２は、レシーバ側ＳＷ制御回路７４に対して、１つのデータレーン（データレーン１１）を非動作状態にする旨の情報を送信する。
【００８１】
パラレル−シリアル変換部７３は、次のフレームから、３ペア用の変換プロトコルに基づいて、データ用レシーバ回路７６から入力されたシリアルデータをパラレルデータに並び替え、後段の回路ブロックにパラレルデータを送信する。なお、データの並び替えが周波数を変更する必要は無い場合、レシーバ側ＰＬＬ回路部７５に対して特別な制御は行われない。
【００８２】
その後、タイミングコントローラ５では、トランスミッタ側ＳＷ制御回路５４が、入力された情報に基づいて、スイッチＳＷ_tx5をＯＦＦし、データレーン１１に対応するデータ用トランスミッタ回路５６への電源供給を停止させる。同様に、ソースドライバ７ａでは、レシーバ側ＳＷ制御回路７４が、入力された情報に基づいて、スイッチＳＷ_rx5をＯＦＦし、データレーン１１に対応するデータ用トランスミッタ回路５６への電源供給を停止させる。これによって、データ転送動作を行うデータレーンの数が４ペアから３ペアに変化する。
【００８３】
以上の動作によれば、動作状態のデータレーンには定常電流が流れ、一方、非動作状態のデータレーンに定常電流が流れないようにすることができる。これによって、低消費電力化を図ることができる。
【００８４】
（データの並べ替え）
次に、タイミングコントローラ５におけるパラレル‐シリアル変換部５３のデータ並べ替えについて、図８〜図１１を参照して説明する。
【００８５】
なお、以下の説明では、表示パネル３における画素はＲＧＢのサブ画素を含んでおり、横方向の解像度が１０２４画素、縦方向の解像度が７６８行であるとする。また、説明の便宜上、３つのソースドライバ７ａ〜７ｃのうち、２つのソースドライバ７ａ、７ｂを例示的に用いて説明するが、ソースドライバ７ｃについても同様の説明を適用できる。
【００８６】
図８および図９は、各ソースドライバ７ａ、７ｂに接続するデータレーン１１〜１４、２１〜２４を示す図である。図１０および図１１は、各ソースドライバ７ａ、７ｂに対してデータレーン１１〜１４、２１〜２４を介して転送される画像データを時系列に沿って示した模式図である。ここで、図８および図１０は、通常時（８ｂｉｔ階調表示時）を示しており、図９及び図１１は、動作を行うデータレーン数が減少している時（６ｂｉｔ階調表示時）を示している。
【００８７】
８ｂｉｔ階調表示時には、図８及び図１０に示すように、各ソースドライバ７ａ、７ｂに割り当てられた表示領域に対する画像データは８ｂｉｔで一まとめにされ、４組のデータレーン１１〜１４、２１〜２４を使用して転送されている。
【００８８】
一方、６ｂｉｔ階調表示時には、図９及び図１１に示すように、各ソースドライバ７ａ、７ｂに割り当てられた表示領域に対する画像データが６ｂｉｔで一まとめに並べ替えられ、３組のデータレーン１１〜１３、２１〜２３を使用して転送されている。図１１に示す例では、クロック周波数を変更する必要もない。
【００８９】
なお、図１０および図１１に示すデータ並べ替えの例はあくまで一例であって、これに限定されない。パラレル‐シリアル変換部５３は、動作させるデータレーンの数に応じて適宜データを並べ替えることができる。
【００９０】
（まとめ）
上述したように、タイミングコントローラ５は、ある一定期間に転送すべきデータ量（より正確には、デーア量に関連する情報）に応じて、データ転送に用いるデータレーンの数を決定する。そして、決定した数のデータレーンを用いて、データを転送する。また、データ転送に用いないデータベアは停止させる。すなわち、データの転送に必要な分のデータレーンだけを用い、残りのデータレーンは使わないようにする。そして、使わないデータレーンは停止させることによって、そのデータレーンの動作時に必要な電力を使わないようにする。
【００９１】
タイミングコントローラ５では、個々のデータレーンをデータ転送に用いるか、または用いないかのいずれかに制御する。すなわち、データレーンごとに転送レートを変動させることはない。転送に用いる場合は通常の転送レートで転送し、用いない場合は転送レートをゼロにする。したがって、データレーンごとに転送レート調整のためのクロックを必要とすることはない。すなわち、回路構成が従来技術に比べて複雑になることはない。
【００９２】
以上のように、タイミングコントローラ５は、単純な構成によって消費電力を低減できる効果を奏する。
【００９３】
（その他）
本明細書において上述した「一定期間」とは、適宜設定可能な期間であり特に限定されない。
【００９４】
また、上述の説明では、各ソースドライバ７ａ〜７ｃに接続されるデータレーンが全て同様に制御されるものとしているが、ソースドライバ７ａ〜７ｃ毎にそれぞれ別個に制御されてもよい。たとえば、表示装置１０が表示領域９の一部に動画を表示し、他の一部に静止画を表示する場合、各ソースドライバ７ａ〜７ｃが担当する表示領域９の部分の画像データ量は大きく異なる。この場合、タイミングコントローラ５は、ソースドライバ７ａ〜７ｃの各々に送信すべきデータ量に応じて、ソースドライバ７ａ〜７ｃ毎に、データレーンの動作／非動作をそれぞれ制御してもよい。
【００９５】
また、本実施形態では、表示パネル３は一般的な解像度（１０２４ＲＧＢ×７６８）を有する表示パネルと同様に、３個のソースドライバ７ａ〜７ｃを有しているが、ソースドライバの数に限定はない。
【００９６】
〔実施形態２〕
本発明の第２の実施形態について、図１２〜図１６に基づいて説明すると以下の通りである。
【００９７】
上述した実施形態１に対する本実施形態の主な相違点は、低電力駆動モードにおいて、１垂直期間が画像データをソースドライバ７ａ〜７ｃに転送する高速転送期間と転送しない休止期間に分けられている点にある。したがって、以下では上記相違点を中心に説明する。なお、実施形態１における構成要素と対応する機能を有する構成要素には、同一符号を用いることとする。
【００９８】
図１２は、通常駆動モードにおけるタイミングチャートを示す図であり、図１３は、低電力駆動モードにおけるタイミングチャートを示す図である。
【００９９】
図１２および図１３に示すように、データ用トランスミッタ回路５６は、トランスミッタ側ＰＬＬ回路部５５から出力されるクロック信号に基づいて、映像信号を出力する。図１３に示す低電力モードでは、図１２に示す通常モードと比べて、１垂直期間内における水平同期信号の周期が短くなっている。このため、低電力モードでは、１垂直期間が、画像データをソースドライバ７ａ〜７ｃに転送する高速転送期間と、画像データを転送しない休止期間とに分けられる。
【０１００】
タイミングコントローラ５には、これらの高速転送期間と休止期間とを特定する情報が入力される。この情報は、たとえばホスト側装置から表示装置１０に与えられる。レーン数設定信号送信部は、この情報に基づき、データ転送に用いるデータレーンの本数を決定する。具体的には、高速転送期間に使用する数を、データレーンの全ての数（４つ）に決定する。そして、決定した本数を表すＬＡＮＥＣＴＲＬ信号を生成して、ソースドライバ７ａ〜７ｃに出力する。タイミングコントローラ５およびソースドライバ７ａ〜７ｃは、このＬＡＮＥＣＴＲＬ信号に基づき、各ソースドライバ７ａ〜７ｃに対して全てのデータレーン１１〜１４、２１〜２４、３１〜３４が動作状態になるよう制御する（図１３参照）。
【０１０１】
一方、休止期間には、タイミングコントローラ５が、休止期間に使用するデータレーンの数を、ゼロに決定する。そして、決定した本数を表すＬＡＮＥＣＴＲＬ信号を生成して、ソースドライバ７ａ〜７ｃに出力する。タイミングコントローラ５およびソースドライバ７ａ〜７ｃは、このＬＡＮＥＣＴＲＬ信号に基づき、データレーン１１〜１４、２１〜２４、３１〜３４が非動作状態になるよう制御する（図１５参照）。また、タイミングコントローラ５およびソースドライバ７ａ〜７ｃは、上記制御と共に、クロックレーン１５、２５、３５が非動作状態になるよう制御する。
【０１０２】
（停止期間の他の例）
低電力モードにおいては、各１垂直期間が画像データをソースドライバ７ａ〜７ｃに転送する転送期間であるか、または、転送しない休止期間であるようにしてもよい。この例を図１６に示す。図１６は、低電力モードにおける他のタイミングチャートを示す図である。
【０１０３】
図１６に示すように、データ用トランスミッタ回路５６は、トランスミッタ側ＰＬＬ回路部５５から出力されるクロック信号に基づいて、映像信号を出力する。図１６に示す低電力モードでは、図１２に示す通常モードとは異なり、データを全ての１垂直期間において転送するのではなく、１つ置きの１垂直期間である各転送期間において転送する。一方、転送期間と転送期間の間にある各休止期間においては、データを転送しない。また、休止期間には全てのデータレーン１１〜１４を非動作にすることによって、消費電力を低減する。
【０１０４】
なお、転送期間と休止期間は、１垂直期間ごとに入れ替わる例に限らない。たとえば、１つの転送期間と２つの休止期間とが交互に繰り返されるような構成であってもよい。
【０１０５】
本実施形態における制御方法によれば、表示装置１０に通常駆動モードと低電力駆動モードを設定し、駆動モードに応じて、動作状態のデータレーン数を最適な数に設定することができる。これによって、表示装置１０の低電力化を好適に図ることができる。
【０１０６】
また、本実施形態の動作方法を行う場合、以下の２通りの方法が考えられる。
【０１０７】
（１）ホストがタイミングコントローラ５に対して出力する映像信号のタイミングについても、１垂直期間が高速転送期間と休止期間とに分けられるようなものにする。
【０１０８】
（２）ホストはタイミングコントローラ５に対して通常のタイミングで映像信号を出力し、その画像データをコントロール基板１におけるフレームメモリ１７に一旦格納する。タイミングコントローラ５は、フレームメモリ１７に格納されたデータを高速に読み出し、各ソースドライバ７ａ〜７ｃに対して高速に転送する。
【０１０９】
（出力回路の制御）
本実施形態の表示装置１０、上述した休止期間において、各ソースドライバ７ａ〜７ｂから表示パネル３にアナログ電圧を出力する出力回路の能力を低下させる能力低下部（図示しない）をさらに備えていてもよい。この構成によれば、表示装置１０は、休止期間において、データレーンを全て停止するとともに、出力回路の能力を低下させる。これにより、出力回路の消費電力を低下させることができるので、表示装置１０全体における消費電力をより一層低下させることができる。
【０１１０】
〔実施形態３〕
本発明の第３の実施形態について、図１７および図１８に基づいて説明すると以下の通りである。説明の便宜上、実施形態１における構成要素と対応する機能を有する構成要素には同一符号を用い、その説明を省略する場合がある。
【０１１１】
まず、本実施形態に係る表示システム１００の構成について、図１７を参照して簡単に説明する。図１７は、本実施形態に係る表示システム１００の構成を概略的に示す平面図である。
【０１１２】
図１７に示すように、本実施形態に係る表示システム１００は、表示装置１０と、これに接続されたホスト側装置９０とを備え、いわゆる電子機器として実現される。上述の実施形態１又は２に記載の構成と同様の構成を有するため、その説明を省略する。ホスト側装置９０は、コントロール基板９１、ＣＰＵ９２、及びグラフィックコントローラ９３を備えている。表示装置１０とホスト側装置９０とはケーブル８０を介して接続されている。ケーブル８０はＦＦＣケーブルであってもよいし、細線同軸ケーブルであってもよい。
【０１１３】
ホスト側装置９０は、ケーブル８０を介して表示装置１０に画像データを転送するものである。具体的には、ホスト側装置９０のグラフィックコントローラ９３が、表示装置１０のタイミングコントローラ５に対して表示データを転送する。このデータ転送は、コントロール基板１、９１に形成された配線群及びケーブル８０に形成された配線パターンからなる信号伝送線により行われる。これらの信号伝送線は、２本一組で高速シリアル転送用の差動信号線対を構成しているものとする。
【０１１４】
図１７に示すように、本実施形態では、グラフィックコントローラ９３とタイミングコントローラ５との間に、４組の表示データ転送用の差動信号線対（データレーン）８１〜８４、および１組のクロック用の差動信号線対（クロックレーン）８５が配線されている。また、図示していないが、グラフィックコントローラ９３とタイミングコントローラ５には、レーン数制御信号線（ＬＡＮＥＣＴＲＬ信号線）が配線されている。なお、図１７では、一対の信号伝送線路（データレーン、クロックレーン）を１本の矢印で示している。
【０１１５】
（データレーンの動作切り替え）
本実施形態では、上記画像データの転送中、データレーン８１〜８４は、タイミングコントローラ５に転送される一定期間あたりの表示データ量の増減に応じて、その動作／非動作が制御される。以下に、データレーン８１〜８４の動作切り替え方法について、図１７及び図１８を参照して説明する。
【０１１６】
なお、図１８は、グラフィックコントローラ９３とタイミングコントローラ５との間におけるデータレーン８１〜８４およびクロックレーン８５を示す図である。図１８では、一対の信号伝送線路であるデータレーン８１〜８４およびクロックレーン８５を１本の矢印で示しており、そのうち、データ転送を行っているデータレーンを実線の矢印で示し、データ転送を停止しているデータレーンを点線の矢印で示している。
【０１１７】
本実施形態に係るホスト側装置９０は、ＲＧＢ各階調８ｂｉｔの画像データを転送する機能と、ＲＧＢ各階調６ｂｉｔの画像データを転送する機能とを有している。これらの機能が切り替えられた時、グラフィックコントローラ９３からタイミングコントローラ５へ転送される表示データは、その一定期間あたりのデータ量が増減する。
【０１１８】
たとえば、ホスト側装置９０がＲＧＢ各階調８ｂｉｔの画像データを転送しているとき、図１７に示すように、タイミングコントローラ５に対して、４つ全てのデータレーン８１〜８４が動作状態となってデータ転送を行う。
【０１１９】
ここで、ホスト側装置９０がＲＧＢ各階調６ｂｉｔの画像データを転送するように切り替わった場合、グラフィックコントローラ９３には、そのことを示す情報が入力される。具体的には、転送されるデータのビット数（６ｂｉｔ）を表す情報が入力される。この情報は、ホスト側装置９０において生成される。たとえば、ユーザが画像の階調数を６ビットに変更した場合、または、６ビットの画像データを扱うアプリケーションが実行された場合に、この情報が生成され、グラフィックコントローラ９３に与えられる。グラフィックコントローラ９３内のレーン数設定信号送信部（図示せず）は、この情報に基づき、データ転送に用いるデータレーンの本数を決定する。具体的には、画像データのビット数が減少したと判定するので、現在の使用数（４つ）よりも少ない数（３つ）に決定する。そして、決定した本数を表すＬＡＮＥＣＴＲＬ信号を生成して、タイミングコントローラ５に出力する。グラフィックコントローラ９３およびタイミングコントローラ５は、このＬＡＮＥＣＴＲＬ信号に基づき、３つのデータレーン８１〜８３が動作状態になってデータ転送し、１つのデータレーン８４が非動作状態になってデータ転送を停止するように制御する（図１８参照）。
【０１２０】
ホスト側装置９０が再びＲＧＢ各階調８ｂｉｔの画像データを転送するように切り替わった場合、グラフィックコントローラ９３には、そのことを示す情報が入力される。具体的には、転送されるデータのビット数（８ｂｉｔ）を表す情報が入力される。この情報は、ホスト側装置９０において生成される。たとえば、ユーザが画像の階調数を各色８ビットに変更した場合、または、８ビットの画像データを扱うアプリケーションが実行された場合に、この情報が生成され、グラフィックコントローラ９３に与えられる。グラフィックコントローラ９３内のレーン数設定信号送信部は、この情報に基づき、データ転送に用いるデータレーンの本数を決定する。具体的には、画像データのビット数が減少したと判定するので、現在の使用数（３つ）よりも多い数（４つ）に決定する。そして、決定した本数を表すＬＡＮＥＣＴＲＬ信号を生成して、タイミングコントローラ５に出力する。グラフィックコントローラ９３およびタイミングコントローラ５は、このＬＡＮＥＣＴＲＬ信号に基づき、データレーン８１〜８４を再び図１６に示す状態になるように制御する。
【０１２１】
なお、上記のデータ転送のためには、グラフィックコントローラ９３およびタイミングコントローラ５が、実施形態１において説明したトランスミッタ回路部５０およびレシーバ回路部７０をそれぞれ備えるものとする。
【０１２２】
本実施形態によれば、ホスト側装置９０および表示装置１０を含む表示システム１００全体においてより低消費電力化を図ることができる。
【０１２３】
〔実施形態４〕
本発明の第４の実施形態について、図１９に基づいて説明すると以下の通りである。説明の便宜上、実施形態１における構成要素と対応する機能を有する構成要素には同一符号を用い、その説明を省略する場合がある。
【０１２４】
本実施形態に係る表示システム１００の構成は、実施形態２のそれと同じであり、図１７に示すとおりである。しかし、本実施形態では、表示システム１００は、実施形態１で説明した通常駆動モードおよび低消費電力モードの切り替えを実行する。その際、各モードにおけるデータレーンの動作／非動作の制御を、表示装置１０およびホスト側装置９０の両方が行う。
【０１２５】
たとえば、表示装置１０が図１２に示す通常駆動モードで動作する際には、ホスト側装置９０も同様にする。したがって、図１７に示すように、タイミングコントローラ５は全てのデータレーンを動作状態にする。さらに、グラフィックコントローラ９３も全てのデータレーンを動作状態にする。
【０１２６】
一方、表示装置１０が図１３に示す低消費電力モードで動作する場合、ホスト側装置９０も同様にする。すなわち、タイミングコントローラ５は、１垂直期間内の転送期間において、全てのデータレーンを使用して画像データをソースドライバ７ａ〜７ｃに転送する。一方、１垂直期間内の停止期間においては、全てのデータレーンを非動作状態にして、画像データをソースドライバに転送しない。同様に、グラフィックコントローラ９３は、１垂直期間内の転送期間において、全てのデータレーンを使用して画像データをタイミングコントローラ５に転送する。一方、１垂直期間内の停止期間においては、全てのデータレーンを非動作状態にして、画像データをタイミングコントローラ５に転送しない。
【０１２７】
また、表示装置１０が図１６に示す低消費電力モードで動作する場合、ホスト側装置９０も同様にする。すなわち、タイミングコントローラ５は、転送期間である１垂直期間において、全てのデータレーンを使用して画像データをソースドライバ７ａ〜７ｃに転送する。一方、停止期間である１垂直期間内においては、全てのデータレーンを非動作状態にして、画像データをソースドライバ７ａ〜７ｃに転送しない。同様に、グラフィックコントローラ９３は、転送期間である１垂直期間において、全てのデータレーンを使用して画像データをタイミングコントローラ５に転送する。一方、停止期間である１垂直期間においては、全てのデータレーンを非動作状態にして、画像データをタイミングコントローラ５に転送しない。
【０１２８】
この結果、表示システム１０は、転送期間においては図１７に示すように動作し、一方、休止期間において、図１９に示すように動作する。図１９は、表示システム１００におけるシリアル信号伝送線の動作／非動作を説明するための図である。
【０１２９】
すなわち表示システム１０は、画像データを転送しない休止期間において、ソースドライバ７ａ〜７ｃに画像データを転送するためのデータラインと、タイミングコントローラ５にデータを転送するためのデータラインとを、全て停止する。一方、転送期間においては、ソースドライバ７ａ〜７ｃにデータを転送するためのデータラインと、タイミングコントローラ５にデータを転送するためのデータラインとを、いずれも動作させてデータを転送する。これにより、ホスト側装置９０から送られてきた画像データをフレームメモリ１７に書き込む際の周波数と、フレームメモリ１７から画像データを読み出す際の周波数とが、等しくなる。その結果、ホスト側装置９０から表示装置１０に画像データを転送する際に利用されるクロック信号を、表示装置１０内においてフレームメモリ１７から画像データを読み出す際のクロック信号として利用できる。したがって、新たなクロック信号を生成するための追加のクロック生成回路を必要とせずに済む。
【０１３０】
さらに、画像データをフレームメモリ１７に書き込んだりフレームメモリ１７から読み出したりする時間を、それぞれ短くすることができる。これにより、フレームメモリへの書込みと読み出しが重複する時間を無くすことが非常に容易となる。その結果、ティアリングエフェクト現象の発生を防止できる。
【０１３１】
〔実施形態５〕
本発明の第５の実施形態について、図２０〜図２２に基づいて説明すると以下の通りである。説明の便宜上、実施形態１における構成要素と対応する機能を有する構成要素には同一符号を用い、その説明を省略する場合がある。
【０１３２】
図２０は、本実施形態に係る電子機器の構成を示すブロック図である。本実施形態の電子機器は、たとえば図２０の（ａ）に示す電子機器９８として実現される。図２０の（ａ）の例では、電子機器９８は、表示装置１０、入力装置９４、およびホスト側装置９０（図示しない）を備えている。入力装置９４は、表示装置１０に内蔵されている。また、入力装置９４はタッチパネル９５およびタッチパネル制御回路９６を備えている。タイミングコントローラ５は、制御信号出力部５８を備えている。タッチパネル９５は、例えば、静電容量型タッチパネルまたは電磁誘導型タッチパネルである。
【０１３３】
入力装置９４のタッチパネル制御回路９６は、タッチパネル９５をセンシングする。これにより、タッチパネル９５はユーザがタッチパネル９５に触れた位置に関する入力データを生成して、タッチパネル制御回路９６に送信する。タッチパネル制御回路９６は、入力データに基づき、タッチパネル９５における検出座標を示す検出座標データを生成して、タイミングコントローラ５に送信する。タイミングコントローラ５は、受信した検出座標データをホスト側ＣＰＵ９２に送信する。これにより、ホスト側装置９０は入力した検出座標データに基づく処理を実行する。
【０１３４】
タイミングコントローラ５内の制御信号出力部５８は、ＴＰ＿ＥＮＡＢＬＥを生成して入力装置９４に送信する。ＴＰ＿ＥＮＡＢＬＥは、タッチパネル９５にセンシングを指示する信号である。タッチパネル制御回路９６は、このＴＰ＿ＥＮＡＢＬＥが入力される間、タッチパネル９５のセンシングを実行する。
【０１３５】
本実施形態の電子機器９８は、通常駆動モードまたは低電力モードのいずれかによって動作する。図２１は、電子機器９８が通常駆動モードである場合のタイミングチャートを示す図である。図２２は、本発明の第５の実施形態に係る電子機器が低電力モードである場合のタイミングチャートを示す図である。
【０１３６】
図２１に示すように、電子機器９８が通常駆動モードで動作する際には、タイミングコントローラ５は、各１垂直期間においてそれぞれ画像データをソースドライバ７ａ〜７ｃに転送する。したがって、各１垂直期間は全て転送期間である。また、入力装置９４は、１垂直期間内のセンシング期間において、タッチパネル９５をセンシングする。したがって、通常駆動モードにおいては、画像データを転送する転送期間と、タッチパネル９５をセンシングするセンシング期間とが重複している。この重複期間においては、画像データの転送時に発生するノイズによって、センシングの精度が悪化してしまう。
【０１３７】
電子機器９８は、このセンシング精度悪化の問題を、低電力モードにおいては回避できる。図２２に示すように、電子機器９８が低電力モードにおいて動作する際には、タイミングコントローラ５は、１垂直期間内の高速転送期間において、全てのデータレーンを使用して画像データをソースドライバ７ａ〜７ｃに転送する。一方、１垂直期間内の停止期間においては、全てのデータレーンを非動作状態にして、画像データをソースドライバ７ａ〜７ｃに転送しない。この際、タッチパネル制御回路９６は、高速転送期間においてはタッチパネル９５をセンシングせず、一方、停止期間においてはタッチパネル９５をセンシングする。すなわち、画像データを転送するタイミングを避けて、タッチパネル９５をセンシングする。したがって、タッチパネル９５のセンシング時にデータ転送に起因するノイズの混入を避けられるので、センシング精度を高めることができる。
【０１３８】
本実施形態の電子機器は、図２１の（ｂ）に示す電子機器９８ａとしても実現される。図２０の（ｂ）の例では、電子機器９８ａは、表示装置１０、入力装置９４、およびホスト側装置９０（図示しない）を備えている。入力装置９４は表示装置１０に内蔵されておらず、表示装置１０から独立して設けられている。タイミングコントローラ５内の制御信号出力部５８は、ＴＰ＿ＥＮＡＢＬＥを生成してホスト側ＣＰＵ９２に送信する。ＴＰ＿ＥＮＡＢＬＥは、タッチパネル９５にセンシングを指示する信号である。ホスト側ＣＰＵ９２は、受信したＴＰ＿ＥＮＡＢＬＥに基づき、ＴＰ＿ＥＮＡＢＬＥ２を生成して入力装置９４に送信する。ＴＰ＿ＥＮＡＢＬＥ２は、ＴＰ＿ＥＮＡＢＬＥと同じく、タッチパネル９５にセンシングを指示する信号である。タッチパネル制御回路９６は、このＴＰ＿ＥＮＡＢＬＥ２が入力される間、タッチパネル９５のセンシングを実行する。
【０１３９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１４０】
（本発明の総括）
本発明の一態様に係るデータ転送回路では、さらに、
上記データは、表示パネルに表示される画像を表すデータであることが好ましい。
【０１４１】
上記情報は、上記画像の階調数を表す情報であり、
上記決定手段は、上記情報に基づき、上記画像の階調数が減少したと判定した場合、上記データレーンの数をより少ない値に決定することが好ましい。
【０１４２】
上記の構成によれば、表示される画像の階調数が減少するとき、データ転送に用いるデータレーンの数が減る。これにより、消費電力を低減できる。
【０１４３】
本発明の一態様に係るデータ転送回路では、さらに、
上記情報は、上記画像の階調数を表す情報であり、
上記決定手段は、上記情報に基づき、上記画像の階調数が増加したと判定した場合、上記データレーンの数をより多い値に決定することが好ましい。
【０１４４】
上記の構成によれば、表示される画像の階調数が増加するとき、データ転送に用いるデータレーンの数が増える。画像の階調数が増えれば、その画像を表すデータの量も増える。したがって、データ転送回路は、転送すべきデータ量が増加する場合でも、正常にデータを転送することができる。
【０１４５】
本発明の一態様に係るデータ転送回路では、さらに、
上記情報は、上記画像の色数を表す情報であり、
上記決定手段は、上記情報に基づき、上記画像の色数がカラー表示の色数からモノクロ表示の色数に減少したと判定した場合、上記データレーンの数をより少ない値に決定することが好ましい。
【０１４６】
上記の構成によれば、画像表示がカラーからモノクロに変更されると、データ転送に用いるデータレーンの数が減る。これにより、消費電力を低減できる。
【０１４７】
本発明の一態様に係るデータ転送回路では、さらに、
上記情報は、上記画像の色数を表す情報であり、
上記決定手段は、上記情報に基づき、上記画像の色数がモノクロ表示の色数からカラー表示の色数に増加したと判定した場合、上記データレーンの数をより多い値に決定することが好ましい。
【０１４８】
上記の構成によれば、画像表示がモノクロからカラーに変更されると、データ転送に用いるデータレーンの数が増える。画像表示をモノクロからカラーに変更すれば、その画像を表すデータの量も増える。したがって、データ転送回路は、転送すべきデータ量が増加する場合でも、正常にデータを転送することができる。
【０１４９】
本発明の一態様に係るデータ転送回路では、さらに、
上記情報は、上記表示パネルのリフレッシュ周波数を表す情報であり、
上記決定手段は、上記情報に基づき、上記リフレッシュ周波数が減少したと判定した場合、上記データレーンの数をより少ない値に決定することが好ましい。
【０１５０】
上記の構成によれば、表示パネルのリフレッシュ周波数が減少すると、データ転送に用いられるデータレーンの数が減少する。これにより、消費電力を低減できる。
【０１５１】
本発明の一態様に係るデータ転送回路では、さらに、
上記情報は、上記表示パネルのリフレッシュ周波数を表す情報であり、
上記決定手段は、上記情報に基づき、上記リフレッシュ周波数が増加したと判定した場合、上記データレーンの数をより多い値に決定することが好ましい。
【０１５２】
上記の構成によれば、表示パネルのリフレッシュ周波数が増加すると、データ転送に用いられるデータレーンの数が増加する。表示パネルのリフレッシュ周波数が増加すれば、その画像を表すデータの量も増える。したがって、データ転送回路は、したがって、データ転送回路は、転送すべきデータ量が増加する場合でも、正常にデータを転送することができる。
【０１５３】
本発明の一態様に係るデータ転送回路では、クロックレーンをさらに備えており、
上記停止手段は、上記複数のデータレーンのうち、上記クロックレーンからより遠くに配置されるデータレーンほど、より優先的に停止させることが好ましい。
【０１５４】
上記の構成によれば、クロックレーンにより近いデータレーンは、より優先的に、データ転送に用いられる。データ転送のためのデータレーンが、クロックレーンに近いほど、より等長配線しやすくなるので、位相ずれによるデータの取りこぼしを回避しやすくなる。
【０１５５】
本発明の一態様に係るデータ転送回路では、さらに、
上記画像を表示する際の１垂直期間が、上記データをソースドライバに転送する転送期間と、転送しない休止期間と分かれており、
上記情報は、上記転送期間と上記休止期間とを規定した情報であり、
上記決定手段は、上記休止期間においては、上記データレーンの数をゼロに決定することが好ましい。
【０１５６】
上記の構成によれば、１垂直期間における休止期間中は、データレーンを全て停止する。したがって、消費電力を最大限に削減できる。
【０１５７】
本発明の一態様に係るデータ転送回路では、さらに、
上記画像を表示する際の各１垂直期間が、上記データをレシーバ回路に転送する転送期間であるか、または、転送しない休止期間であり、
上記情報は、上記転送期間と上記休止期間とを規定した情報であり、
上記決定手段は、上記休止期間においては、上記データレーンの数をゼロに決定することが好ましい。
【０１５８】
上記の構成によれば、休止期間である１垂直期間中は、データレーンを全て停止する。したがって、消費電力を最大限に削減できる。
【０１５９】
上記データ転送回路は、表示装置内に備えられ、ソースドライバに上記画像を表すデータを転送するタイミングコントローラであることが好ましい。
【０１６０】
上記の構成によれば、画像データの転送レートに応じて、使用するデータレーンの数を切り替えることによって、消費電力の削減が可能なタイミングコントローラを実現することができる。
【０１６１】
本発明の一態様に係るデータ転送回路では、さらに、
上記データ転送回路は、表示装置に接続されたホスト側装置に備えられ、当該表示装置が備えるタイミングコントローラに上記画像データを転送するグラフィックコントローラであることが好ましい。
【０１６２】
上記の構成によれば、画像データの転送レートに応じて、使用するデータレーンの数を切り替えることによって、消費電力の削減が可能なグラフィックコントローラを実現することができる。
【０１６３】
本発明の一態様に係る電子機器では、さらに、
上記タッチパネルは、静電容量型タッチパネルまたは電磁誘導型タッチパネルであることが好ましい。
【０１６４】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０１６５】
本発明は、データ転送回路（インターフェース）を有する表示装置に対して好適に利用することができる。
【符号の説明】
【０１６６】
１  コントロール基板
２  フレキシブルプリント回路基板
３  表示パネル
５  タイミングコントローラ（データ転送回路、決定手段、転送手段、停止手段）
７ａ〜７ｃ  ソースドライバ
８  ゲートドライバ
９  表示領域
１０  表示装置
１１〜１４、２１〜２４、３１〜３４  データレーン
１５、２５、３５  クロックレーン
１６  レーン数制御信号線
１７  フレームメモリ
５０  トランスミッタ回路部
５２  トランスミッタ側レーン数制御回路
５２  トランス側レーン数制御回路
５３  パラレル−シリアル変換部
５４  トランスミッタ側ＳＷ制御回路
５５  トランスミッタ側ＰＬＬ回路部
５６  データ用トランスミッタ回路
５７  クロック用トランスミッタ回路
５８  制御信号出力部
７０  レシーバ回路部
７２  レシーバ側レーン数制御回路
７３  パラレル−シリアル変換部
７４  レシーバ側ＳＷ制御回路
７５  レシーバ側ＰＬＬ回路部
７６  データ用レシーバ回路
７７  クロック用レシーバ回路
８０  ケーブル
８１〜８４  データレーン
８５  クロックレーン
９０  ホスト側装置
９１  コントロール基板
９２  ＣＰＵ
９３  グラフィックコントローラ（データ転送回路、決定手段、転送手段、停止手段）
９４  入力装置
９５  タッチパネル
９６ タッチパネル制御回路（センシング手段）
９８  電子機器
１００  表示システム（電子機器）
【図１】
2012067073.tif 000003
【図２】
2012067073.tif 000004
【図３】
2012067073.tif 000005
【図４】
2012067073.tif 000006
【図５】
2012067073.tif 000007
【図６】
2012067073.tif 000008
【図７】
2012067073.tif 000009
【図８】
2012067073.tif 000010
【図９】
2012067073.tif 000011
【図１０】
2012067073.tif 000012
【図１１】
2012067073.tif 000013
【図１２】
2012067073.tif 000014
【図１３】
2012067073.tif 000015
【図１４】
2012067073.tif 000016
【図１５】
2012067073.tif 000017
【図１６】
2012067073.tif 000018
【図１７】
2012067073.tif 000019
【図１８】
2012067073.tif 000020
【図１９】
2012067073.tif 000021
【図２０】
2012067073.tif 000022
【図２１】
2012067073.tif 000023
【図２２】
2012067073.tif 000024
【図２３】
2012067073.tif 000025
【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
複数のデータレーンのうち少なくともいずれかを使用してデータを転送するデータ転送回路であって、
ある一定期間に転送すべきデータ量に関連する情報に基づき、上記データを転送するデータレーンの数を決定する決定手段と、
上記複数のデータレーンのうち、上記決定手段によって決定された数のデータレーンを用いて、上記データを転送する転送手段と、
上記複数のデータレーンのうち、上記データの転送に用いられないデータレーンを停止させる停止手段とを備え、
上記データは表示パネルに表示される画像を表すデータであり、
上記画像を表示する際の各１垂直期間が、上記データをレシーバ回路に転送する転送期間であるか、または、転送しない休止期間であり、
上記情報は、上記転送期間と上記休止期間とを規定した情報であり、
上記決定手段は、上記休止期間においては、上記データレーンの数をゼロに決定することを特徴とするデータ転送回路。
【請求項２】
上記情報は、上記画像の階調数を表す情報であり、
上記決定手段は、上記情報に基づき、上記画像の階調数が減少したと判定した場合、上記データレーンの数をより少ない値に決定することを特徴とする請求項１に記載のデータ転送回路。
【請求項３】
上記情報は、上記画像の階調数を表す情報であり、
上記決定手段は、上記情報に基づき、上記画像の階調数が増加したと判定した場合、上記データレーンの数をより多い値に決定することを特徴とする請求項１または２に記載のデータ転送回路。
【請求項４】
上記情報は、上記画像の色数を表す情報であり、
上記決定手段は、上記情報に基づき、上記画像の色数がカラー表示の色数からモノクロ表示の色数に減少したと判定した場合、上記データレーンの数をより少ない値に決定することを特徴とする請求項１〜３のいずれか１項に記載のデータ転送回路。
【請求項５】
上記情報は、上記画像の色数を表す情報であり、
上記決定手段は、上記情報に基づき、上記画像の色数がモノクロ表示の色数からカラー表示の色数に増加したと判定した場合、上記データレーンの数をより多い値に決定することを特徴とする請求項１〜４のいずれか１項に記載のデータ転送回路。
【請求項６】
上記情報は、上記表示パネルのリフレッシュ周波数を表す情報であり、
上記決定手段は、上記情報に基づき、上記リフレッシュ周波数が減少したと判定した場合、上記データレーンの数をより少ない値に決定することを特徴とする請求項１〜５のいずれか１項に記載のデータ転送回路。
【請求項７】
上記情報は、上記表示パネルのリフレッシュ周波数を表す情報であり、
上記決定手段は、上記情報に基づき、上記リフレッシュ周波数が増加したと判定した場合、上記データレーンの数をより多い値に決定することを特徴とする請求項１〜６のいずれか１項に記載のデータ転送回路。
【請求項８】
データ転送回路は、クロックレーンをさらに備えており、
上記停止手段は、上記複数のデータレーンのうち、上記クロックレーンからより遠くに配置されるデータレーンほど、より優先的に停止させることを特徴とする請求項１〜７のいずれか１項に記載のデータ転送回路。
【請求項９】
上記データ転送回路は、表示装置内に備えられ、上記画像を表すデータをソースドライバに転送するタイミングコントローラであることを特徴とする請求項１〜８のいずれか１項に記載のデータ転送回路。
【請求項１０】
上記データ転送回路は、表示装置に接続されたホスト側装置に備えられ、当該表示装置が備えるタイミングコントローラに上記画像を表すデータを転送するグラフィックコントローラであることを特徴とする請求項１〜８のいずれか１項に記載のデータ転送回路。
【請求項１１】
請求項９に記載のデータ転送回路を備えていることを特徴とする表示装置。
【請求項１２】
請求項１に記載のデータ転送回路であって、上記画像を表すデータをソースドライバに転送するタイミングコントローラであるデータ転送回路と、
上記休止期間において、上記ソースドライバから上記表示パネルにアナログ電圧を出力する出力回路の能力を低下させる能力低下手段とを備えていることを特徴とする表示装置。
【請求項１３】
請求項１０に記載のデータ転送回路を備えていることを特徴とするホスト側装置。
【請求項１４】
表示装置およびホスト側装置を備えている電子機器であって、
上記表示装置は、請求項１に記載のデータ転送回路であって、上記画像を表すデータをソースドライバに転送するタイミングコントローラであるデータ転送回路を備えており、
上記ホスト側装置は、請求項１に記載のデータ転送回路であって、上記タイミングコントローラに上記画像を表すデータを転送するグラフィックコントローラであるデータ転送回路を備えていることを特徴とする電子機器。
【請求項１５】
表示装置および入力装置を備えている電子機器であって、
上記表示装置は、請求項１に記載のデータ転送回路であって、上記画像を表すデータをソースドライバに転送するタイミングコントローラであるデータ転送回路を備えており、
上記入力装置は、タッチパネルと、上記転送期間に当該タッチパネルをセンシングせず、かつ上記休止期間に当該タッチパネルをセンシングするセンシング手段とを備えていることを特徴とする電子機器。
【請求項１６】
上記タッチパネルは静電容量型タッチパネルまたは電磁誘導型タッチパネルであることを特徴とする請求項１５に記載の電子機器。
【請求項１７】
複数のデータレーンのうち少なくともいずれかを使用してデータを転送するデータ転送方法であって、
ある一定期間に転送すべきデータ量に関連する情報に基づき、上記データを転送するデータレーンの数を決定する決定工程と、
上記複数のデータレーンのうち、上記決定工程において決定された数のデータレーンを用いて、上記データを転送する転送工程と、
上記複数のデータレーンのうち、上記データの転送に用いられないデータレーンを停止させる停止工程とを備え、
上記データは表示パネルに表示される画像を表すデータであり、
上記画像を表示する際の各１垂直期間が、上記データをレシーバ回路に転送する転送期間であるか、または、転送しない休止期間であり、
上記情報は、上記転送期間と上記休止期間とを規定した情報であり、
上記決定工程は、上記休止期間においては、上記データレーンの数をゼロに決定することを特徴とするデータ転送方法。
【国際調査報告】
2012067073.tif 000026
2012067073.tif 000027
2012067073.tif 000028
2012067073.tif 000029